(57)【要約】【課題】複数の装置の中から所望の装置を認証できるようにする。【解決手段】認証要求側の送電装置にとって認証対象となる受電装置は、送電装置から認証開始コマンドを受信した場合、乱数を発生させ、その乱数に応じた待機時間を設定する（ステップＳ２２乃至Ｓ２４）。受電装置は、待機時間だけ待機して、固有の認識情報の一例である製造番号を受電装置に送信する（ステップＳ２５，Ｓ２８）。本発明は、例えば、電力伝送システムに適用できる。【選択図】図５
2010250460.tif 000002
【特許請求の範囲】
【請求項１】
認証要求側装置から認証要求がなされた場合、認証対象の他の情報処理装置とは独立して待機時間を設定する設定手段と、
前記設定手段により設定された前記待機時間だけ待機して、固有の認識情報を前記認証要求側装置に送信する送信手段と
を備える情報処理装置。
【請求項２】
前記設定手段は、前記認証要求がなされた場合、さらに乱数を発生させ、その乱数に応じて前記待機時間を設定する
請求項１に記載の情報処理装置。
【請求項３】
前記認証要求は、前記認証要求側装置で予め設定された認識信号である
請求項１に記載の情報処理装置。
【請求項４】
前記送信手段は、さらに、前記認証対象の前記他の情報処理装置からの送信を認識したときは、前記固有の認識情報の送信を停止する
請求項１に記載の情報処理装置。
【請求項５】
前記認証要求側装置は、磁界共鳴型電力伝送手法に従って電力を送電する送電装置として構成され、
前記送電装置から送電されてきた前記電力を受電する受電手段をさらに備える
請求項１に記載の情報処理装置。
【請求項６】
前記送電装置は、前記認証要求の前に、前記電力の送電を開始している
請求項５に記載の情報処理装置。
【請求項７】
認証要求側装置の認証対象となる情報処理装置が、
前記認証要求側装置から認証要求がなされた場合、認証対象の他の情報処理装置とは独立して待機時間を設定し、
設定された前記待機時間だけ待機して、固有の認識情報を前記認証要求側装置に送信する
ステップを含む情報処理方法。
【請求項８】
認証要求側装置と、その認証対象となる１以上の情報処理装置とを備え、
前記認証要求側装置は、前記１以上の情報処理装置のそれぞれに対して認証要求をし、
前記１以上の情報処理装置のそれぞれは、前記認証要求がなされた場合、認証対象の他の情報処理装置とは独立して待機時間を設定し、設定された前記待機時間だけ待機して、固有の認識情報を前記認証要求側装置に送信し、
前記認証要求側装置は、前記1以上の情報処理装置のそれぞれから送信された前記固有の認識情報を受信することで、前記1以上の情報処理装置のそれぞれの認証を行う
情報処理システム。
【請求項９】
認証要求側装置から認証要求がなされた場合、認証対象の他の情報処理装置と同一の認識情報を前記認証要求側装置に送信する送信手段
を備える情報処理装置。
【請求項１０】
認証要求側装置の認証対象となる情報処理装置が、
前記認証要求側装置から認証要求がなされた場合、認証対象の他の情報処理装置と同一の認識情報を前記認証要求側装置に送信する
ステップを含む情報処理方法。
【請求項１１】
認証要求側装置と、その認証対象となる１以上の情報処理装置とを備え、
前記認証要求側装置は、前記１以上の情報処理装置のそれぞれに対して認証要求をし、
前記１以上の情報処理装置のそれぞれは、前記認証要求がなされた場合、認証対象の他の情報処理装置と同一の認識情報を前記認証要求側装置に送信し、
前記認証要求側装置は、前記1以上の情報処理装置のうち少なくとも１つから送信された前記認識情報を受信することで、認証を行う
情報処理システム。
【発明の詳細な説明】
【技術分野】
【０００１】
本発明は、情報処理装置及び方法、並びに情報処理システムに関し、複数の装置の中から所望の装置を認証できるようになった、情報処理装置及び方法、並びに情報処理システムに関する。
【背景技術】
【０００２】
近年、非接触で電力を伝送するシステムの研究開発が行われている（例えば、特許文献１参照）。なお、以下、このようなシステムを、非接触電力伝送システムと称する。
【０００３】
非接触電力伝送システムにおいて、送電側装置が受電側装置を認証する機器認証手法としては、例えば特許文献１に開示されているように、次のような一連の処理が実行される手法が従来採用されていた。
【０００４】
即ち、特許文献１を含む従来の機器認証手法では、１台の送電側装置に対する受電側装置の台数は１台であることが前提とされていた。また、従来の機器認証手法では、受電側装置の識別情報（固有の製造番号等）は、送電側装置に予め記憶されていた。
【０００５】
このような前提の下、従来の機器認証手法では、次のような要求処理、応答処理、および認証処理が順次実行される。要求処理とは、送電側装置が、受電側装置に対して識別情報の送信を要求する処理をいう。応答処理とは、受電側装置が、その要求に対する応答として、識別情報を送信する処理をいう。認証処理とは、送電側装置が、受電側装置から送信された識別情報と、自身に予め記憶されていた識別情報とを比較し、一致していることを確認することで、受電側装置を認証する処理をいう。
【先行技術文献】
【特許文献】
【０００６】
【特許文献１】特開２００８−２９５１９１号公報
【発明の概要】
【発明が解決しようとする課題】
【０００７】
しかしながら、複数の装置の中から所望の装置を認証したいという要望が挙げられているが、特許文献１を含む従来の機器認証手法では、かかる要望に充分に応えることができない状況である。
【０００８】
即ち、かかる要求に対して、従来の装置認証手法をそのまま適用した場合、要求処理に対する応答処理は、複数の受電側装置によりそれぞれ実行されることになる。このため、送電側装置にとっては、複数の受信側装置のそれぞれから識別情報が同時に送信されてきて、混信してしまう。その結果、送電側装置は、認証処理を実行できなくなってしまう。
【０００９】
本発明は、このような状況に鑑みてなされたものであり、複数の装置の中から所望の装置を認証できるようにするものである。
【課題を解決するための手段】
【００１０】
本発明の第１の側面の情報処理装置は、認証要求側装置から認証要求がなされた場合、認証対象の他の情報処理装置とは独立して待機時間を設定する設定手段と、前記設定手段により設定された前記待機時間だけ待機して、固有の認識情報を前記認証要求側装置に送信する送信手段とを備える。
【００１１】
前記設定手段は、前記認証要求がなされた場合、さらに乱数を発生させ、その乱数に応じて前記待機時間を設定することができる。
【００１２】
前記認証要求は、前記認証要求側装置で予め設定された認識信号である。
【００１３】
前記送信手段は、さらに、前記認証対象の前記他の情報処理装置からの送信を認識したときは、前記固有の認識情報の送信を停止することができる。
【００１４】
前記認証要求側装置は、磁界共鳴型電力伝送手法に従って電力を送電する送電装置として構成され、前記送電装置から送電されてきた前記電力を受電する受電手段をさらに備えることができる。
【００１５】
前記送電装置は、前記認証要求の前に、前記電力の送電を開始している。
【００１６】
本発明の第１の側面の情報処理方法は、認証要求側装置の認証対象となる情報処理装置が、前記認証要求側装置から認証要求がなされた場合、認証対象の他の情報処理装置とは独立して待機時間を設定し、設定された前記待機時間だけ待機して、固有の認識情報を前記認証要求側装置に送信するステップを含む。
【００１７】
本発明の第１の側面の情報処理システムは、認証要求側装置と、その認証対象となる１以上の情報処理装置とを備え、前記認証要求側装置は、前記１以上の情報処理装置のそれぞれに対して認証要求をし、前記１以上の情報処理装置のそれぞれは、前記認証要求がなされた場合、認証対象の他の情報処理装置とは独立して待機時間を設定し、設定された前記待機時間だけ待機して、固有の認識情報を前記認証要求側装置に送信し、前記認証要求側装置は、前記1以上の情報処理装置のそれぞれから送信された前記固有の認識情報を受信することで、前記1以上の情報処理装置のそれぞれの認証を行うことができる。
【００１８】
本発明の第２の側面の情報処理装置は、認証要求側装置から認証要求がなされた場合、認証対象の他の情報処理装置と同一の認識情報を前記認証要求側装置に送信する送信手段を備える。
【００１９】
本発明の第２の側面の情報処理方法は、認証要求側装置の認証対象となる情報処理装置が、前記認証要求側装置から認証要求がなされた場合、認証対象の他の情報処理装置と同一の認識情報を前記認証要求側装置に送信するステップを含む。
【００２０】
本発明の第２の側面の情報処理システムは、認証要求側装置と、その認証対象となる１以上の情報処理装置とを備え、前記認証要求側装置は、前記１以上の情報処理装置のそれぞれに対して認証要求をし、前記１以上の情報処理装置のそれぞれは、前記認証要求がなされた場合、認証対象の他の情報処理装置と同一の認識情報を前記認証要求側装置に送信し、前記認証要求側装置は、前記1以上の情報処理装置のうち少なくとも１つから送信された前記認識情報を受信することで、認証を行うことができる。
【００２１】
本発明の第１の側面においては、認証要求側装置と、その認証対象となる１以上の情報処理装置とにより、次のような処理が実行される。前記認証要求側装置において、前記１以上の情報処理装置のそれぞれに対して認証要求がされ、前記１以上の情報処理装置のそれぞれにおいて、前記認証要求がなされた場合、認証対象の他の情報処理装置とは独立して待機時間が設定され、設定された前記待機時間だけ待機されて、固有の認識情報が前記認証要求側装置に送信される。前記認証要求側装置において、前記1以上の情報処理装置のそれぞれから送信された前記固有の認識情報が受信されることで、前記1以上の情報処理装置のそれぞれの認証が行われる。
【００２２】
本発明の第２の側面においては、認証要求側装置と、その認証対象となる１以上の情報処理装置とにより、次のような処理が時移行される。前記認証要求側装置において、前記１以上の情報処理装置のそれぞれに対して認証要求がされ、前記１以上の情報処理装置のそれぞれにより、前記認証要求がなされた場合、認証対象の他の情報処理装置と同一の認識情報が前記認証要求側装置に送信される。前記認証要求側装置において、前記1以上の情報処理装置のうち少なくとも１つから送信された前記認識情報が受信されることで、認証が行われる。
【発明の効果】
【００２３】
本発明によれば、複数の装置の中から所望の装置を認証できるようにするものである。
【図面の簡単な説明】
【００２４】
【図１】本発明が適用される情報処理システムの一実施形態としての電力伝送システムの構成例を示す図である。
【図２】図１の電力伝送システムのうち、送電装置の構成例を示す図である。
【図３】図１の電力伝送システムのうち、受電装置の構成例を示す図である。
【図４】送電側の認証処理の一例を説明するフローチャートである。
【図５】受電側の被認証処理の一例を説明するフローチャートである。
【図６】送電装置と、２つの受電装置との相互の処理の関係の一例を説明するフローチャートである。
【図７】送電装置と、２つの受電装置との相互の処理の関係の一例を説明するフローチャートである。
【図８】送電側の認証処理の一例を説明するフローチャートである。
【図９】受電側の被認証処理の一例を説明するフローチャートである。
【図１０】本発明を適用したコンピュータのハードウェアの構成例を示すブロック図である。
【発明を実施するための形態】
【００２５】
以下、図面を参照して、本発明が適用される情報処理システムの実施形態について説明する。よって、説明は以下の順序で行う。
【００２６】
＜１．情報処理システムの構成例＞
【００２７】
［電力伝送システムの構成例］
【００２８】
図１は、本発明が適用される情報処理システムの一実施形態としての電力伝送システムの構成例を示している。
【００２９】
図１の例の電力伝送システムは、送電装置２１と、受電装置２２−１乃至２２−Ｎ（Ｎは１以上の整数値）とから構成されている。
【００３０】
なお、以下、受電装置２２−１乃至２２−Ｎを個々に区別する必要がない場合、これら
をまとめて受電装置２２と称する。
【００３１】
送電装置２１は、スイッチの状態がオフ状態からオン状態に遷移すると、受電装置２２に対する電力の供給を開始する。受電装置２２は、送電装置２１から供給された電力を用いて、その動作を開始する。
【００３２】
送電装置２１はまた、受電装置２２−１乃至２２−Ｎのそれぞれを認証することができる。なお、認証の詳細については、図４以降の図面を参照して後述する。
【００３３】
［送電装置の構成例］
【００３４】
図２は、図１の電力伝送システムのうち、送電装置２１の構成例を示している。
【００３５】
送電装置２１は、発振回路３１、送電コイル３２、スイッチ３３、マイクロコンピュータ３４、送受信回路３５、およびアンテナ３６から構成されている。
【００３６】
送電コイル３２は、例えば、ループ状に複数回巻かれたコイルにより構成される。発振回路３１は、送電コイル３２に接続されている。発振回路３１は、発振動作を開始すると、所定の周波数の交流を出力する。発振回路３１から出力された交流が送電コイル３２に流れると、送電コイル３２から電磁波が輻射される。この電磁波によって、受電装置２２に電力が送電されることになる。
【００３７】
スイッチ３３は、マイクロコンピュータ３４に接続されている。スイッチ３３は、ユーザ操作に基づいて、その状態をオン状態またはオフ状態する。
【００３８】
マイクロコンピュータ３４は、送電装置２１の全体を制御する。例えば、マイクロコンピュータ３４は、スイッチ３１がオン状態になったとき、発振回路３１の発振動作を開始させることで、受電装置２２に対する電力の供給を開始させる。また例えば、マイクロコンピュータ３４は、送受信回路３５を制御して、受電装置２２との間で各種情報（例えば後述する認証開始コマンド、製造番号、ACKコマンド等）を送受信する。具体的には例えば、マイクロコンピュータ３４は、後述する図４の送電側の認証処理の実行を制御する。
【００３９】
送受信回路３５は、マイクロコンピュータ３４の制御に従って、アンテナ３６を介して受電装置２２との間で各種情報（例えば後述する認証開始コマンド、製造番号、ACKコマンド等）を送受信する。
【００４０】
［受電装置の構成例］
【００４１】
図３は、図１の電力伝送システムのうち、受電装置２２の構成例を示している。
【００４２】
受電装置２２は、受電コイル４１、ブリッジ整流回路４２、平滑コンデンサ４３、マイクロコンピュータ４４、送受信回路４５、およびアンテナ４６から構成される。
【００４３】
受電コイル４１は、例えば、ループ状に複数回巻かれたコイルにより構成されており、ブリッジ整流回路５３に接続されている。ブリッジ整流回路５３に流れる交流の周波数は比較的高いため、ブリッジ整流回路５３には、ファーストリカバリダイオードなどを採用すると好適である。ブリッジ整流回路５３の出力の両端には、平滑コンデンサ５４が接続されている。平滑コンデンサ５４は、例えば、電解コンデンサにより構成される。
【００４４】
受電コイル４１には、送電回路２１の送電コイル３２から輻射された電磁波に誘導されて交流が流れる。この交流は、ブリッジ整流回路５３において全波整流される。全波整流された電流（脈流電流）は、平滑コンデンサ５４によって、直流となり、図示せぬ後段の回路に供給される。
【００４５】
このようにして、図１の電力伝送システムにおいて、送電装置２１から受電装置２２に対して非接触で電力が供給される。
【００４６】
マイクロコンピュータ４４や送受信回路４５は、このようにして送電装置２１から供給された電力を用いて動作する。
【００４７】
マイクロコンピュータ４４は、受電装置２２の全体を制御する。例えば、マイクロコンピュータ４４は、送受信回路４５を制御して、送電装置２１との間で各種情報（例えば後述する認証開始コマンド、製造番号、ACKコマンド等）を送受信する。具体的には例えば、マイクロコンピュータ４４は、後述する図５の受電側の被認証処理の実行を制御する。
【００４８】
送受信回路４５は、マイクロコンピュータ４４の制御に従って、アンテナ４６を介して受電装置２１との間で各種情報（例えば後述する認証開始コマンド、製造番号、ACKコマンド等）を送受信する。
【００４９】
＜２．情報処理システムの認証動作の第１の例＞
【００５０】
次に、図１の電力伝送システムが実行する処理のうち、送電装置２１が受電装置２２を認証するまでの一連の処理の第１の例について説明する。なお、以下、かかる一連の処理のうち、送電装置２１側の処理を、送電側の認証処理と称し、受電装置２２側の処理を、受電側の被認証処理と称する。
【００５１】
図４は、送電側の認証処理の一例を説明するフローチャートである。
【００５２】
図５は、受電側の被認証処理の一例を説明するフローチャートである。
【００５３】
図６と図７は、送電装置２１と、受電装置２２−１，２２−２（Ｎ＝２の場合）との相互の処理の関係の一例を説明するフローチャートである。
【００５４】
［送電側の認証処理］
【００５５】
はじめに、図４のフローチャートを参照して、送電装置２１による送電側の認証処理について説明する。なお、送電装置２１と受電装置２２の相互の処理関係は、図６と図７の対応するステップを参照することで容易に理解することが可能である。
【００５６】
ステップＳ１において、送電装置２１は、スイッチ３３がオン状態にされたか否かを判定する。
【００５７】
スイッチ３３がオフ状態である間、ステップＳ１においてＮＯであると判定されて、処理はステップＳ１に戻され、それ以降の処理が繰り返される。即ち、スイッチ３３がオフ状態である間は、ステップＳ１の判定処理が繰り返される。
【００５８】
その後、スイッチ３３の状態がオフ状態からオン状態に遷移された場合、ステップＳ１においてＹＥＳであると判定されて、処理はステップＳ２に進む。
【００５９】
ステップＳ２において、送電装置２１は、受電装置２２に対して電力の供給を開始する。
【００６０】
ステップＳ３において、送電装置２１は、受電装置２２に対して認証開始コマンドを送信する。
【００６１】
なお、認証開始コマンドとは、送電装置２１内で予め定められた認識信号の一例である。即ち、受電装置２２にとって認証要求と認識される情報であれば、認証開始コマンドである必要は特にない。
【００６２】
ここで例えば、送電装置２１にとって、受電装置２２−１乃至２２−Ｎのうち、認証対象の受電装置２２の製造番号は既知であるとする。即ち、この例では、送電装置２１は、受電装置２１から送信されてきた製造番号と、既知の製造番号とが一致した場合、その受電装置２１の製造番号を受信したと判定し、その受電装置２１の認証を行うとする。
【００６３】
この場合、ステップＳ４において、送電装置２１は、認証対象の全ての製造番号を受信したか否かを判定する。
【００６４】
認証対象の製造番号（既知の製造番号）のうち１つでも受信されていない場合、ステップＳ４においてＮＯであると判定されて、処理はステップＳ６に進む。
【００６５】
ステップＳ６において、送電装置２１は、一定時間経過したか否かを判定する。
【００６６】
一定時間が経過していない場合、ステップＳ６においてＮＯであると判定されて、処理はステップＳ４に戻され、それ以降の処理が繰り返される。即ち、認証対象の製造番号（既知の製造番号）の全てを受信するまでの待ち時間として、一定時間が設けられている。換言すると、認証要求の待ち時間として一定時間が設けられている。この一定時間は特に限定されないが、認証要求の待ち時間ということを考慮すれば、例えば100ms以下であれば好適である。
【００６７】
従って、一定時間が経過するまでの間は、認証要求の待ち時間内であるとして、認証対象の製造番号（既知の製造番号）のうち受信されていないものが存在しても、ステップＳ４とＳ６のループ処理が繰り返されて、認証成功／失敗の判断は待機されるのである。
【００６８】
その後、一定時間経過するまでに、認証対象の全ての製造番号が受信された場合、ステップＳ４においてＹＥＳであると判定され、処理はステップＳ５に進む。ステップＳ５において、送電装置２１は、認証成功と認識する。これにより、送信側の認証処理は終了する。
【００６９】
これに対して、一定時間経過しても、認証対象の製造番号（既知の製造番号）のうち受信されていないものがまだ存在する場合、ステップＳ６においてＹＥＳであると判定されて、処理はステップＳ７に進む。
【００７０】
ステップＳ７において、送電装置２１は、所定のエラー条件が満たされたか否かを判定する。なお、エラー条件は、特に限定されないが、例えばここでは、認証開始コマンドの繰り返し送信回数（以下、リトライ回数と称する）が規定回数以上になることという条件が採用されているとする。
【００７１】
所定のエラー条件が満たされていない場合、ステップＳ７においてＮＯであると判定されて、処理はステップＳ３に戻され、それ以降の処理が繰り返される。即ち、認証開始コマンドが再度送信され、認証の成功／失敗の判断がリトライされるのである。
【００７２】
これに対して、所定のエラーが満たされている場合、ステップＳ７においてＹＥＳであると判定されて、処理はステップＳ８に進む。ステップＳ８において、送電装置２１は、認証失敗と認識する。これにより、送電側の認証処理は終了する。
【００７３】
［受電側の被認証処理］
【００７４】
次に、図５のフローチャートを参照して、受電側の被認証処理について説明する。なお、送電装置２１と受電装置２２の相互の処理関係は、図６と図７の対応するステップを参照することで容易に理解することが可能である。
【００７５】
ステップＳ２１において、受電装置２２は、送電装置２１から電力が供給されたか否かを判定する。
【００７６】
送電装置２１から電力が供給されていない場合、ステップＳ２１においてＮＯであると判定されて、処理はステップＳ２１に戻され、それ以降の処理が繰り返される。即ち、送電装置２１から電力の供給が開始されるまでの間は、ステップＳ２１の判定処理が繰り返される。
【００７７】
その後、送電装置２１から電力の供給が開始された場合（図４のステップＳ２の処理が実行された場合）、ステップＳ２１においてＹＥＳであると判定されて、処理はステップＳ２２に進む。
【００７８】
ステップＳ２２において、受電装置２２は、送電装置２１からの認証開始コマンドを受信したか否かを判定する。
【００７９】
ステップＳ２２において、認証開始コマンドが受信されてないと判定された場合、処理はステップＳ２２に戻され、認証開始コマンドを受信したか否かが再度判定される。即ち、送電装置２１からの認証開始コマンドが受信されるまでの間は、ステップＳ２２の判定処理が繰り返される。
【００８０】
その後、送電装置２１からの認証開始コマンドが受信された場合（図４のステップＳ３の処理が実行された場合）、ステップＳ２２においてＹＥＳであると判定されて、処理はステップＳ２３に進む。
【００８１】
ステップＳ２３において、受電装置２２は、乱数を発生させる。
【００８２】
ステップＳ２４において、受電装置２２は、乱数に応じた待機時間を設定する。
【００８３】
なお、乱数の発生場所や待機時間の設定場所は、特に限定されない。例えば本実施の形態では、マイクロコンピュータ４４が、乱数を発生させ、その乱数に応じた待機時間を設定するとする。
【００８４】
ステップＳ２５において、受電装置２２は、待機時間だけ待機する。
【００８５】
ステップＳ２６において、受電装置２２は、他の受電装置２２からの送信はないか否かを判定する。
【００８６】
他の受電装置２２からの送信がない場合、ステップＳ２６においてＹＥＳであると判定されて、処理はステップＳ２８に進む。ステップＳ２８において、受電装置２２は、送電装置２１に製造番号を送信する。
【００８７】
これに対して、他の受電装置２２からの送信がある場合、ステップＳ２６においてＮＯであると判定されて、処理はステップＳ２７に進む。
【００８８】
ステップＳ２７において、受電装置２２は、一定時間待機する。即ち、受電装置２２は、他の受電装置２２からの送信がある場合は、製造番号を送信せずに一定時間待機する。即ち、一定時間経過すると、処理はステップＳ２８に進む。ステップＳ２８において、受電装置２２は、送電装置２１に製造番号を送信する。
【００８９】
ステップＳ２９において、受電装置２２は、処理の終了が指示されたか否かを判定する。
【００９０】
処理の終了が指示されない限り、ステップＳ２９においてＮＯであると判定されて、処理はステップＳ２２に戻され、それ以降の処理が繰り返される。即ち、処理の終了が指示されるまでの間は、ステップＳ２２乃至Ｓ２９のループ処理が繰り返される。
【００９１】
その後、処理の終了が指示された場合、ステップＳ２９においてＹＥＳであると判定されて、受電側の被認証処理は終了する。
【００９２】
［送電装置２１と受電装置２２との間の処理の関係］
【００９３】
以下、さらに、図６と図７を用いて、送電装置２１と受電装置２２との相互の処理の観点から、送信側の認証処理と受信側の被認証処理について説明する。
【００９４】
ここで、例えば、２つで１セットの左右のワイヤレススピーカとしてそれぞれ構成される受電装置２２−１，２２−２が、送電装置２１にとっての認証対象であるとする。
【００９５】
図６と図７には、左方から、送電装置２１の認証処理の一例を説明するフローチャート、受電装置２２−１の被認証処理の一例を説明するフローチャート、受電装置２２−２の被認証処理の一例を説明するフローチャートがそれぞれ図示されている。なお、それぞれの間を結ぶ矢印は、情報の流れを示している。
【００９６】
スイッチ３３がオン状態になると、図６のステップＳ１の処理でＹＥＳであると判定され、ステップＳ２の処理で、送電装置による電力供給が開始される。
【００９７】
すると、受電装置２２−１と受電装置２２−２のそれぞれは、ステップＳ２１において、電力が供給されたと判定する。
【００９８】
この間に、送電装置２１は、ステップＳ３の処理として、認証開始コマンドを送信する。
【００９９】
この場合、受電装置２２−１と受電装置２２−２のそれぞれは、認証開始コマンドを受信すると、それぞれステップＳ２２においてＹＥＳであると判定して、処理をステップＳ２３に進める。
【０１００】
ステップＳ２３において、受電装置２２−１と受電装置２２−２のそれぞれは、乱数を発生させる。
【０１０１】
ステップＳ２４において、受電装置２２−１と受電装置２２−２のそれぞれは、各々の乱数に応じた待機時間を設定する。ここで例えば、受電装置２２−１と受電装置２２−２の乱数に応じて設定された待機時間は、ともに３０ｍＳと同一であるとする。
【０１０２】
この場合、ステップＳ２５において、受電装置２２−１と受電装置２２−２のそれぞれは、各々の待機時間だけ待機する。即ち、受電装置２２−１と受電装置２２−２は何れも、ともに３０ｍＳだけ待機する。
【０１０３】
ステップＳ２６において、受電装置２２−１と受電装置２２−２のそれぞれは、他の受電装置２２からの送信はないか否かを判定する。この場合、受電装置２２−１と受電装置２２−２の待機時間は同一なので、他の受電装置２２からの送信は検出されず、ステップＳ２６においてＹＥＳであると判定されて、処理はステップＳ２８に進む。
【０１０４】
ステップＳ２８において、受電装置２２−１と受電装置２２−２のそれぞれは、各々の製造番号を送電装置２１に送信する。即ち、受電装置２２−１と受電装置２２−２の各々の製造番号は、送電装置２１に同時に送信されることになる。
【０１０５】
この場合、受電装置２２−１と受電装置２２−２のそれぞれから送信される各々の製造番号が、送信装置２１において混信する。このため、送電装置２１は、何れの製造番号も認識することができない。したがって、送電装置２１は、ステップＳ４における認証対象の全ての製造番号を受信したか否かの判定において、ＮＯであると判定し、処理をステップＳ６に進める。
【０１０６】
混信後一定時間経過しても、受電装置２２−１と受電装置２２−２の何れからも製造番号は再度送信されてこないので、ステップＳ６においてＹＥＳであると判定されて、処理はステップＳ７に進む。
【０１０７】
ステップＳ７において、送電装置２１は、所定のエラー条件が満たされたか否かを判定する。
【０１０８】
この場合、所定のエラー条件を満たさなかったとすると、ステップＳ７においてＮＯであると判定されて、処理は図７のステップＳ３に戻される。
【０１０９】
即ち、送電装置２１は、再度のステップＳ３の処理として、認証開始コマンドを再送する。即ち、認証開始コマンドの送信のリトライが行われる。
【０１１０】
この場合、受電装置２２−１と受電装置２２−２のそれぞれは、認証開始コマンドを受信すると、それぞれステップＳ２２においてＹＥＳであると判定して、処理をステップＳ２３に進める。
【０１１１】
ステップＳ２３において、受電装置２２−１と受電装置２２−２のそれぞれは、乱数を発生させる。
【０１１２】
ステップＳ２４において、受電装置２２−１と受電装置２２−２のそれぞれは、各々の乱数に応じた待機時間を設定する。ここで例えば、受電装置２２−１の乱数に応じて設定された待機時間は、３０ｍＳであるとする。一方、受電装置２２−１の乱数に応じて設定された待機時間は、３１ｍＳであるとする。
【０１１３】
ステップＳ２５において、受電装置２２−１と受電装置２２−２は、それぞれ待機時間だけ待機する。
【０１１４】
即ち、ステップＳ２５の処理開始時点から３０ｍＳだけ経過した時点で、受電装置２２−１は、処理をステップ２６に進める一方、受電装置２２−２はまだ待機している（ステップＳ２５の処理を実行中である）。
【０１１５】
従って、受電装置２２−１は、ステップＳ２６において、他の受電装置２２からの送信はないと判定して、ステップＳ２８において、製造番号を送信する。
【０１１６】
ここで、例えば、製造番号の送信が完了するためには２ｍｓの時間が必要であるとする。即ち、ステップＳ２５の処理開始時点から３１ｍＳだけ経過した時点で、受電装置２２−１は、製造番号を送信中であり（ステップＳ２８の処理を実行中であり）、一方、受信装置２２−２は、処理をステップ２６に進める。
【０１１７】
このように、受信装置２２−２のステップＳ２６の処理開始時点では、受電装置２２−１は、製造番号を送信中であるため、ステップＳ２６においてＮＯであると判定され、処理はステップＳ２７に進む。
【０１１８】
ステップＳ２７において、受電装置２２−２は、一定時間待機する。ここで、製造番号の送信が完了するためには２ｍｓの時間が必要であることが既知であれば、一定時間としては１ｍｓ以上の任意の時間を設定することができる。例えばここでは、一定時間として１ｍｓが設定されているとする。この場合、ステップＳ２７の処理開始時点から１ｍｓ経過後、即ち、ステップＳ２５の処理開始時点から３２ｍＳだけ経過した時点で、受信装置２２−２は、処理をステップ２８に進める。なお、この時点では、受電装置２２−１は、製造番号の送信を終了している。ステップＳ２８において、製造番号を送信する。
【０１１９】
即ち、ステップＳ２５の処理開始時点を基準時とし、送電装置２１の視点からすると、基準時から３０ｍＳ乃至３２ｍｓの間に、受電装置２２−１の製造番号が受信される。次に、基準時から３２ｍＳ乃至３４ｍｓの間に、受電装置２２−２の製造番号が受信される。
【０１２０】
即ち、今度は、送電装置２１において、製造番号の混信は発生しないので、ステップＳ４において、認証対象の全ての製造番号が受信されたと判定されて、処理はステップＳ５に進む。ステップＳ５において、送電装置２１は、認証成功と認識し、送信側の認証処理は終了する。
【０１２１】
これにより、送電装置２１は、２つで１セットの左右のワイヤレススピーカとしてそれぞれ構成される受電装置２２−１，２２−２を認識できたことになる。よって、送電装置２１は、それ以降、受電装置２２−１，２２−２に対して正常な機器動作を開始させることができる。具体的には例えば、正常な機器動作のひとつが音声出力であれば、ステップＳ５の処理で認証成功と認識された直後に、左右のワイヤレスピーカ（受電装置２２−１，２２−２）から音声出力が開始される。
【０１２２】
このように、送電装置２１と受電装置２２との相互処理において、受電装置２２は、乱数を発生させ、それに応じて待機時間を設定することができる。その結果、複数の受電装置２２間で製造番号の送信に時間差を設けることができる（図５のステップＳ２３乃至Ｓ５，Ｓ２８参照）。これにより、複数の受電装置２２から送電装置２１に送信される製造番号が混信する可能性が非常に低くなる。
【０１２３】
また、万が一送電装置２２側で混信が生じた場合にも、リトライが行われることにより、混信を回避することができる（図６参照）。
【０１２４】
さらにまた、受電装置２２が発生させた乱数同士が接近して、送信の時間差が短い場合でも、受電装置２２は、送信信号を傍受することにより、他の受電装置２２の送信終了後に自身の製造番号を送信することができる（図７参照）。
【０１２５】
なお、上述の例では、認証のために製造番号が採用されたが、送電側の認証処理と受電側の被認証処理との実行可能のためには、特に製造番号に限定されず、受電装置２２の固有の認識番号であれば足りる。換言すると、製造番号とは、受電装置２２の固有の認識番号の例示にしか過ぎない。
【０１２６】
その他例えば、安全性を高めるために、製造番号と、別の固有情報である商品型名とを複合させたものを、受電装置２２の固有の認識番号として採用することができる。また例えば、受電装置２２がネットワーク機器であれば、MAC番号を、受電装置２２の固有の認識番号として採用することができる。また例えば、他の受電装置２２との違いが出せるのであれば、他の固有の数字や文字列等の任意のシンボル列を、受電装置２２の固有の認識番号として採用することができる。いずれにしても、どのようなフォーマットの固有の認識番号であること、例えば製造番号なら000000乃至999999までの一意の値というフォーマットの固有の認識番号であることが、送電装置２１側で認識可能であれば足りる。
【０１２７】
また、待機時間を設定する設定情報として、上述の例では乱数が採用された。しかしながら、設定情報は、特に乱数に限定されず、複数の受電装置２２間で固有の認識番号（製造番号等）の送信に時間差を設けることができる情報であれば足りる。例えば、固有の認識番号（製造番号等）を設定情報として採用することもできる。また例えば、受電装置２２毎に予め設定された固有の数字、具体的には例えば10msとか50msとかの固有の数字を設定情報として採用することもできる。
【０１２８】
＜３．情報処理システムの認証動作の第２の例＞
【０１２９】
以上の図４乃至図７を参照して説明した情報処理システムの認証動作の第１の例とは、送電装置２１側で、受電装置２２の固有の認識番号の一例である製造番号をすべて認証する場合の例であった。
【０１３０】
しかしながら、送電装置２１の種類によっては、複数の受電装置２２のそれぞれを全て認証する必要がない場合もある。例えば、受電装置２２が携帯電話機で構成され、送電装置２１が携帯電話機に対する充電装置である場合、近傍に複数の携帯電話機がありそのうちの１台でも充電が必要であれば、送信装置２１は認証成功と認識し、充電動作を開始した方が好適である。
【０１３１】
このような場合、送電側の認証処理として、複数の受電装置２２から同一のACK（アックノリッジ）コマンドを戻させることにより、送電装置２１が認証成功と認識するといった処理を採用すればよい。即ち、受電側の被認証処理として、他の受電装置２２と同一のACKコマンドを送電装置２１に戻させるといった処理を採用すればよい。これにより、送電装置２１や受電装置２２をより簡便な装置により実現できる。以下、このような送電側の認証処理を図８を参照して、また、このような受電側の被認証処理を図９を参照して、その順番にそれぞれ説明する。
【０１３２】
［送電側の認証処理］
【０１３３】
図８は、送電側の認証処理の一例であって、図４とは異なる例を説明するフローチャートである。
【０１３４】
図８のステップＳ４１，Ｓ４２の各処理は、図４のステップＳ１，Ｓ２の各処理と同様なので、ここではその説明を省略する。
【０１３５】
ステップＳ４３において、送電装置２１は、ACKコマンドを受信したか否かを判定する。
【０１３６】
ステップＳ４３において、ACKコマンドが受信されていないと判定された場合、処理はステップＳ４５に進む。
【０１３７】
ステップＳ４５において、送電装置２１は、一定時間経過したか否かを判定する。
【０１３８】
一定時間が経過していない場合、ステップＳ４５においてＮＯであると判定されて、処理はステップＳ４３に戻され、それ以降の処理が繰り返される。即ち、ACKコマンドを受信するまでの待ち時間として、一定時間が設けられている。よって、一定時間が経過するまでの間は、ACKコマンドが１つも受信されていなくても、ステップＳ４３とＳ４５のループ処理が繰り返されて、認証成功／失敗の判断は待機されるのである。
【０１３９】
その後、一定時間経過するまでに、複数の受電装置２２のうちの少なくとも１台からのACKコマンドが受信された場合、ステップＳ４３においてＹＥＳであると判定され、処理はステップＳ４４に進む。ステップＳ４４において、送電装置２１は、認証成功と認識する。これにより、送信側の認証処理は終了する。
【０１４０】
これに対して、一定時間経過しても、複数の受電装置２２の何れからのACKコマンドも受信されない場合、ステップＳ４５においてＹＥＳであると判定されて、処理はステップＳ４６に進む。ステップＳ４６において、送電装置２１は、認証失敗と認識する。これにより、送信側の認証処理は終了する。
【０１４１】
［受電側の被認証処理］
【０１４２】
次に、図９のフローチャートを参照して、受電側の被認証処理について説明する。
【０１４３】
図９は、受電側の被認証処理の一例であって、図５とは異なる例（図８に対応する例）を説明するフローチャートである。
【０１４４】
ステップＳ６１において、受電装置２２は、送電装置２１から電力が供給されたか否かを判定する。
【０１４５】
送電装置２１から電力が供給されていない場合、ステップＳ６１においてＮＯであると判定されて、処理はステップＳ６１に戻され、それ以降の処理が繰り返される。即ち、送電装置２１から電力の供給が開始されるまでの間は、ステップＳ６１の判定処理が繰り返される。
【０１４６】
その後、送電装置２１から電力の供給が開始された場合（図８のステップＳ４２の処理が実行された場合）、ステップＳ６１においてＹＥＳであると判定されて、処理はステップＳ６２に進む。
【０１４７】
ステップＳ６２において、受電装置２２は、送電装置２１にACKコマンドを送信する。即ち、この例では、送電装置２１からの電力の供給が、送電装置２１からの認証要求として取り扱われることになる。換言すると、送電装置２１からの認証要求は、この例に特に限定されず、受信装置２２が認証要求と認識できるものであれば足りる。
【０１４８】
受信装置２２からACKコマンドが送信されると、受電側の被認証処理は終了する。すると、送電側の認証処理においては、図８のステップＳ４３の処理でＹＥＳであると判定され、ステップＳ４４の処理で認証成功と認識されるのである。
【０１４９】
なお、複数の受電装置２２のACKコマンドは全て同一であるが、通電とほぼ同時に（図９のステップＳ６１でＹＥＳと判定されたとほぼ同時に）ACKコマンドは送信される。即ち、複数の受電装置２２の各ACKコマンドの送信タイミングはほぼ同一となり、その結果、送電装置２１側での混信可能性が低くなる。また、これにより、上述の如く、送電装置２１や送電装置２２を簡素な構成で実現することができるようになる。
【０１５０】
また、この場合の送電側の認証処理の時間は、受電装置２２が例えば１０台程度存在しても、測定の結果100ms程度の短時間であった。よって、万が一認証対象が存在しない場合であっても、他の受電装置２２への悪影響はほとんど無視できる。
【０１５１】
＜４．本発明の他の適用＞
【０１５２】
以上、本発明が適用される情報処理システムとして、図１乃至図３の構成を有する電力伝送システムを例として説明した。しかしながら、本発明の実施形態は、上述した例に特に限定されず、認証機器と複数の被認証機器との間で情報の送受信ができる情報処理システムの形態であれば足りる。
【０１５３】
例えば、送電側と受電側の間の情報の送受信手法として、上述した例では、電波を用いる手法が採用された。しかしながら、送受信手法は、特に限定されず、その他、例えば、赤外線を用いる手法等を採用することができる。即ち、本発明の実施形態として、任意の送受信手法が適用された情報処理システムを採用することができる。
【０１５４】
また例えば、本発明の実施形態として、通常の１対Ｎのネットワーク機器からなる情報処理システムを採用することができる。この場合、Ｎは２以上である必要は特になく１でもよい。
【０１５５】
また、上述した一連の処理は、ハードウェアにより実行することもできるし、ソフトウエアにより実行することもできる。一連の処理をソフトウエアにより実行する場合には、そのソフトウエアを構成するプログラムが、プログラム記録媒体からインストールされる。このプログラムは、例えば、専用のハードウェアに組み込まれているコンピュータにインストールされる。または、このプログラムは、各種のプログラムをインストールすることで各種の機能を実行することが可能な、例えば汎用のパーソナルコンピュータなどにインストールされる。
【０１５６】
図１０は、上述した一連の処理をプログラムにより実行するコンピュータのハードウェアの構成例を示すブロック図である。
【０１５７】
コンピュータにおいて、CPU２０１，ROM（Read Only Memory）２０２，RAM（Random Access Memory）２０３は、バス２０４により相互に接続されている。バス２０４には、さらに、入出力インタフェース２０５が接続されている。入出力インタフェース２０５には、キーボード、マウス、マイクロフォンなどよりなる入力部２０６、ディスプレイ、スピーカなどよりなる出力部２０７、ハードディスクや不揮発性のメモリなどよりなる記憶部２０８が接続されている。さらに、入出力インタフェース２０５には、ネットワークインタフェースなどよりなる通信部２０９、磁気ディスク、光ディスク、光磁気ディスク、或いは半導体メモリなどのリムーバブルメディア２１１を駆動するドライブ２１０が接続されている。
【０１５８】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。コンピュータ（CPU２０１）が実行するプログラムは、例えば、磁気ディスク（フレキシブルディスクを含む）であるリムーバブルメディア２１１に記録して提供される。プログラムは、パッケージメディアであるリムーバブルメディア２１１に記録して提供される。なお、パッケージメディアとしては、光ディスク（CD−ROM(Compact Disc−Read Only Memory),DVD(Digital Versatile Disc)等）、光磁気ディスク、もしくは半導体メモリなどが用いられる。あるいは、プログラムは、ローカルエリアネットワーク、インターネット、デジタル衛星放送といった、有線または無線の伝送媒体を介して提供される。そして、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１５９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１６０】
なお、本発明の実施の形態は、上述した実施の形態に限定されるものではなく、本発明の要旨を逸脱しない範囲において種々の変更が可能である。
【符号の説明】
【０１６１】
２１  送電装置，  ２２，２２−１乃至２２−Ｎ  受電装置，  ３３  スイッチ，  ３４  マイクロコンピュータ，  ３５  送受信回路，  ４４  マイクロコンピュータ，  ４５  送受信回路，  ２０１  CPU，  ２０２  ROM，  ２０３  RAM，  ２０８  記憶部，  ２１１  リムーバブルメディア
【図１】
2010250460.tif 000003
【図２】
2010250460.tif 000004
【図３】
2010250460.tif 000005
【図４】
2010250460.tif 000006
【図５】
2010250460.tif 000007
【図６】
2010250460.tif 000008
【図７】
2010250460.tif 000009
【図８】
2010250460.tif 000010
【図９】
2010250460.tif 000011
【図１０】
2010250460.tif 000012